(57)【要約】【課題】コンタクトを電線に確実に固定しつつ、電線の長手方向の中途部に電気コネクタを取り付けるための技術を提供する。【解決手段】ベースコネクタ１２は、正極側ベース電線３の長手方向における中途部３Ａに対してバッテリーユニット２を電気的に接続するために中途部３Ａに取り付けられ、バッテリーユニット２に取り付けられたバッテリーコネクタ１３と嵌合可能なものである。ベースコネクタ１２は、正極側ベース電線３に対して圧着される圧着部３０と、バッテリーコネクタ１３に対して電気的に接触する接触部３３と、を有するベースコンタクト２０と、ベースコンタクト２０を収容するベースハウジング２１と、を備える。図１９に示すように、ベースハウジング２１は、正極側ベース電線３がベースハウジング２１を貫通するための電線貫通空間７５を有する。【選択図】図１９
2015222716.tif 000002
【特許請求の範囲】
【請求項１】
電線の長手方向における中途部に対して接続対象物を電気的に接続するために前記中途部に取り付けられ、前記接続対象物に取り付けられた接続対象物側コネクタと嵌合可能な電気コネクタであって、
前記電線に対して圧着される圧着部と、前記接続対象物側コネクタに対して電気的に接触する接触部と、を有するコンタクトと、
前記コンタクトを収容するハウジングと、
を備え、
前記ハウジングは、前記電線が前記ハウジングを貫通するための電線貫通空間を有する、
電気コネクタ。
【請求項２】
請求項１に記載の電気コネクタであって、
前記圧着部は、前記電線に向かってカシメられる一対のカシメ片を有するオープンバレル型に構成されている、
電気コネクタ。
【請求項３】
請求項１又は２に記載の電気コネクタであって、
前記コンタクトは、前記圧着部から前記電線の長手方向に延びる延長部を有し、
前記接触部は、前記延長部から突出して形成されている、
電気コネクタ。
【請求項４】
請求項３に記載の電気コネクタであって、
前記延長部及び前記接触部は平板状であり、
前記延長部の板厚方向と前記接触部の板厚方向は、実質的に平行である、
電気コネクタ。
【請求項５】
請求項４に記載の電気コネクタであって、
前記延長部と前記接触部は、前記延長部の板厚方向においてズレており、
前記コンタクトは、前記延長部と前記接触部を連結する段差部を有する、
電気コネクタ。
【請求項６】
請求項５に記載の電気コネクタであって、
前記接触部は、前記延長部から見て前記電線貫通空間の中心軸側に位置している、
電気コネクタ。
【請求項７】
請求項３〜６の何れかに記載の電気コネクタであって、
前記コンタクトは、前記延長部から、前記延長部の板厚方向に突出して、前記電線と対向可能な規制部を有し、
前記電線は、前記接触部と前記規制部の間に位置する、
電気コネクタ。
【請求項８】
請求項４〜７の何れかに記載の電気コネクタであって、
前記ハウジングは、前記接続対象物側コネクタの前記電気コネクタからの抜け止めとしての一対のロック部を有し、
前記一対のロック部は、前記接触部の板厚方向に対して直交する方向で前記接触部を挟むように配置されている、
電気コネクタ。
【請求項９】
請求項１〜８の何れかに記載の電気コネクタであって、
前記ハウジングは、
前記コンタクトを保持する第１ハウジング分割体と、
前記第１ハウジング分割体に対して着脱可能な第２ハウジング分割体と、
を有し、
前記第１ハウジング分割体に対して前記第２ハウジング分割体を取り付けることで、前記電線貫通空間が形成される、
電気コネクタ。
【請求項１０】
請求項９に記載の電気コネクタであって、
前記第２ハウジング分割体は、前記電線貫通空間の長手方向において互いに離れた第１の取付位置と第２の取付位置において前記第１ハウジング分割体に対して取り付けられており、
前記電線貫通空間の長手方向において、前記第１の取付位置は、前記第２の取付位置と比較して、前記圧着部から遠くに位置しており、
前記第２ハウジング分割体は、
第２ハウジング分割体本体と、
前記第１の取付位置において前記第１ハウジング分割体に引っ掛かる第１のツメ部と、
前記第２の取付位置において前記第１ハウジング分割体に引っ掛かる第２のツメ部と、
を有し、
前記第１のツメ部は、前記第２ハウジング分割体本体に対して弾性変位不能に、前記第２ハウジング分割体本体に支持されており、
前記第２のツメ部は、前記第２ハウジング分割体本体に対して弾性変位可能に、前記第２ハウジング分割体本体に支持されている、
電気コネクタ。
【請求項１１】
請求項１〜１０の何れかに記載の電気コネクタであって、
前記電線貫通空間の長手方向における一対の開口のうち少なくとも何れか一方を閉塞する閉塞具を有する、
電気コネクタ。
【請求項１２】
請求項１〜３の何れかに記載の電気コネクタであって、
前記接触部は、接触バネ片と、前記接触バネ片を支持する保持部と、を有する、
電気コネクタ。
【請求項１３】
請求項１２に記載の電気コネクタであって、
前記保持部は、前記電線の長手方向に対して直交する方向に延びている、
電気コネクタ。
【請求項１４】
請求項１３に記載の電気コネクタであって、
前記保持部は、
前記電線の長手方向において対向する２つの第１の板部と、
前記電線の長手方向に対して直交する方向において対向する２つの第２の板部と、
を有して角筒状に形成されており、
前記２つの第１の板部の間の距離は、前記２つの第２の板部の間の距離よりも小さい、
電気コネクタ。
【請求項１５】
請求項３に記載の電気コネクタであって、
前記接触部は、接触バネ片と、前記接触バネ片を支持する保持部と、を有する、
電気コネクタ。
【請求項１６】
請求項１５に記載の電気コネクタであって、
前記保持部は、前記延長部の板厚方向と平行な方向に延びている、
電気コネクタ。
【請求項１７】
請求項１６に記載の電気コネクタであって、
前記保持部は、
前記電線の長手方向において対向する２つの第１の板部と、
前記電線の長手方向に対して直交する方向において対向する２つの第２の板部と、
を有して角筒状に形成されており、
前記２つの第１の板部の間の距離は、前記２つの第２の板部の間の距離よりも小さい、
電気コネクタ。
【発明の詳細な説明】
【技術分野】
【０００１】
本発明は、電気コネクタに関する。
【背景技術】
【０００２】
この種の技術として、特許文献１は、本願の図３８及び図３９に示すように、樹脂成形されたコネクタハウジング１００と、コネクタハウジング１００に内装されて固定支持される電気ターミナル１０１を備えた電気コネクタ１０２を開示している。電気ターミナル１０１は、導電性の金属片１０３の両側部１０４を内面側に向けてJ字状に曲げて形成されている。金属片１０３の一端部１０５は、被覆電線１０６の端部にカシメ固定されている。コネクタハウジング１００は、電気ターミナル１０１が挿入可能な角筒１０７が形成された本体部１０８と、角筒１０７の基部を閉じるための蓋部１０９と、本体部１０８及び蓋部１０９を一体化させるヒンジ部１１０と、を有する。
【先行技術文献】
【特許文献】
【０００３】
【特許文献１】特開平１０−２４７５４０号公報
【発明の概要】
【発明が解決しようとする課題】
【０００４】
上記特許文献１は、電気ターミナル１０１を圧着により被覆電線１０６に取り付けているので、電気ターミナル１０１が確実に被覆電線１０６に固定される。しかしながら、上記特許文献１の構成では、電気ターミナル１０１を被覆電線１０６の長手方向の中途部に取り付けることができない。
【０００５】
本発明の目的は、コンタクトを電線に確実に固定しつつ、電線の長手方向の中途部に電気コネクタを取り付けるための技術を提供することにある。
【課題を解決するための手段】
【０００６】
本願発明の観点によれば、電線の長手方向における中途部に対して接続対象物を電気的に接続するために前記中途部に取り付けられ、前記接続対象物に取り付けられた接続対象物側コネクタと嵌合可能な電気コネクタであって、前記電線に対して圧着される圧着部と、前記接続対象物側コネクタに対して電気的に接触する接触部と、を有するコンタクトと、前記コンタクトを収容するハウジングと、を備え、前記ハウジングは、前記電線が前記ハウジングを貫通するための電線貫通空間を有する、電気コネクタが提供される。
前記圧着部は、前記電線に向かってカシメられる一対のカシメ片を有するオープンバレル型に構成されている。
前記コンタクトは、前記圧着部から前記電線の長手方向に延びる延長部を有し、前記接触部は、前記延長部から突出して形成されている。
前記延長部及び前記接触部は平板状であり、前記延長部の板厚方向と前記接触部の板厚方向は、実質的に平行である。
前記延長部と前記接触部は、前記延長部の板厚方向においてズレており、前記コンタクトは、前記延長部と前記接触部を連結する段差部を有する。
前記接触部は、前記延長部から見て前記電線貫通空間の中心軸側に位置している。
前記コンタクトは、前記延長部から、前記延長部の板厚方向に突出して、前記電線と対向可能な規制部を有し、前記電線は、前記接触部と前記規制部の間に位置する。
前記ハウジングは、前記接続対象物側コネクタの前記電気コネクタからの抜け止めとしての一対のロック部を有し、前記一対のロック部は、前記接触部の板厚方向に対して直交する方向で前記接触部を挟むように配置されている。
前記ハウジングは、前記コンタクトを保持する第１ハウジング分割体と、前記第１ハウジング分割体に対して着脱可能な第２ハウジング分割体と、を有し、前記第１ハウジング分割体に対して前記第２ハウジング分割体を取り付けることで、前記電線貫通空間が形成される。
前記第２ハウジング分割体は、前記電線貫通空間の長手方向において互いに離れた第１の取付位置と第２の取付位置において前記第１ハウジング分割体に対して取り付けられており、前記電線貫通空間の長手方向において、前記第１の取付位置は、前記第２の取付位置と比較して、前記圧着部から遠くに位置しており、前記第２ハウジング分割体は、第２ハウジング分割体本体と、前記第１の取付位置において前記第１ハウジング分割体に引っ掛かる第１のツメ部と、前記第２の取付位置において前記第１ハウジング分割体に引っ掛かる第２のツメ部と、を有し、前記第１のツメ部は、前記第２ハウジング分割体本体に対して弾性変位不能に、前記第２ハウジング分割体本体に支持されており、前記第２のツメ部は、前記第２ハウジング分割体本体に対して弾性変位可能に、前記第２ハウジング分割体本体に支持されている。
前記電線貫通空間の長手方向における一対の開口のうち少なくとも何れか一方を閉塞する閉塞具を有する。
前記接触部は、接触バネ片と、前記接触バネ片を支持する保持部と、を有する。
前記保持部は、前記電線の長手方向に対して直交する方向に延びている。
前記保持部は、前記電線の長手方向において対向する２つの第１の板部と、前記電線の長手方向に対して直交する方向において対向する２つの第２の板部と、を有して角筒状に形成されており、前記２つの第１の板部の間の距離は、前記２つの第２の板部の間の距離よりも小さい。
前記接触部は、接触バネ片と、前記接触バネ片を支持する保持部と、を有する。
前記保持部は、前記延長部の板厚方向と平行な方向に延びている。
前記保持部は、前記電線の長手方向において対向する２つの第１の板部と、前記電線の長手方向に対して直交する方向において対向する２つの第２の板部と、を有して角筒状に形成されており、前記２つの第１の板部の間の距離は、前記２つの第２の板部の間の距離よりも小さい。
【発明の効果】
【０００７】
本発明によれば、前記電線の長手方向における前記中途部に対して前記接続対象物を電気的に接続することができる。また、前記コンタクトが前記電線に対して圧着されるので、前記コンタクトを前記電線に対して確実に固定することができる。
【図面の簡単な説明】
【０００８】
【図１】バッテリーユニット集合体の斜視図である。（第１実施形態）
【図２】コネクタ組立体の嵌合後の状態を示す斜視図である。（第１実施形態）
【図３】コネクタ組立体の嵌合前の状態を示す斜視図である。（第１実施形態）
【図４】ベースコネクタの分解斜視図である。（第１実施形態）
【図５】ベースコンタクトの斜視図である。（第１実施形態）
【図６】ベースコンタクトの別の角度から見た斜視図である。（第１実施形態）
【図７】図６に示すベースコンタクトの一部切り欠き斜視図である。（第１実施形態）
【図８】ベースコンタクトの側面図である。（第１実施形態）
【図９】ベースハウジングのメイン分割体の斜視図である。（第１実施形態）
【図１０】ベースハウジングのメイン分割体の別の角度から見た斜視図である。（第１実施形態）
【図１１】ベースハウジングのメイン分割体の一部切り欠き斜視図である。（第１実施形態）
【図１２】ベースハウジングのメイン分割体の一部切り欠き斜視図である。（第１実施形態）
【図１３】図１０のA部拡大図である。（第１実施形態）
【図１４】図１０のB部拡大図である。（第１実施形態）
【図１５】ベースハウジングのカバー分割体の斜視図である。（第１実施形態）
【図１６】ベースコネクタのベース電線への取り付け手順を示す斜視図である。（第１実施形態）
【図１７】ベースコネクタのベース電線への取り付け手順を示す斜視図である。（第１実施形態）
【図１８】ベースコネクタのベース電線への取り付け手順を示す斜視図である。（第１実施形態）
【図１９】ベースコネクタのベース電線への取り付け手順を示す斜視図である。（第１実施形態）
【図２０】ベースハウジングのメイン分割体に終端キャップを取り付けた状態を示す斜視図である。（第１実施形態）
【図２１】終端キャップの斜視図である。（第１実施形態）
【図２２】バッテリーコネクタの斜視図である。（第１実施形態）
【図２３】バッテリーコネクタの一部切り欠き斜視図である。（第１実施形態）
【図２４】バッテリーコネクタの分解斜視図である。（第１実施形態）
【図２５】バッテリーコネクタの別の角度から見た分解斜視図である。（第１実施形態）
【図２６】ベースコンタクトとバッテリーコンタクトの斜視図である。（第１実施形態）
【図２７】ベースコンタクトの斜視図である。（第２実施形態）
【図２８】ベースコンタクトとバッテリーコンタクトの斜視図である。（第３実施形態）
【図２９】バッテリーユニット集合体の斜視図である。（第４実施形態）
【図３０】コネクタ組立体の嵌合前の状態を示す斜視図である。（第４実施形態）
【図３１】コネクタ組立体の嵌合後の状態を示す斜視図である。（第４実施形態）
【図３２】ベースコネクタの分解斜視図である。（第４実施形態）
【図３３】ベースコンタクトの斜視図である。（第４実施形態）
【図３４】バッテリーコネクタの分解斜視図である。（第４実施形態）
【図３５】バッテリーコンタクトの斜視図である。（第４実施形態）
【図３６】嵌合前におけるベースコンタクトとバッテリーコンタクトの斜視図である。（第４実施形態）
【図３７】嵌合後におけるベースコンタクトとバッテリーコンタクトの斜視図である。（第４実施形態）
【図３８】特許文献１の図３に相当する図である。
【図３９】特許文献１の図１に相当する図である。
【発明を実施するための形態】
【０００９】
（第１実施形態）
以下、図１〜図２６を参照して、第１実施形態を説明する。
【００１０】
図１には、バッテリーユニット集合体１を示している。バッテリーユニット集合体１は、複数のバッテリーユニット２（接続対象物）と、正極側ベース電線３（電線、第１の電線）及び負極側ベース電線４（電線、第２の電線）と、複数のコネクタ組立体５と、を有する。
【００１１】
正極側ベース電線３及び負極側ベース電線４は、鉛直方向に沿って並べられた複数のバッテリーユニット２を並列接続するための電線である。正極側ベース電線３及び負極側ベース電線４は、鉛直方向に沿って延びており、互いに若干離れて配置されている。図２及び図３に示すように、正極側ベース電線３は、撚り線である導体６と、導体６を被覆する絶縁被覆７と、を有する。負極側ベース電線４についても同様である。
【００１２】
図１に戻り、各バッテリーユニット２は、直方体状のバッテリー本体８と、正極側バッテリー電線９及び負極側バッテリー電線１０と、を有する。バッテリー本体８は、正極側ベース電線３及び負極側ベース電線４と対向するベース電線対向面１１を有する。正極側バッテリー電線９及び負極側バッテリー電線１０は、ベース電線対向面１１から水平に延びている。図２及び図３に示すように、正極側バッテリー電線９は、撚り線である導体１４と、導体１４を被覆する絶縁被覆１５と、を有する。負極側バッテリー電線１０についても同様である。
【００１３】
そして、図１〜３に示すように、各コネクタ組立体５は、バッテリーユニット２の正極側バッテリー電線９の導体１４を正極側ベース電線３の長手方向における中途部３Ａの導体６に対して電気的に接続するために用いられている。具体的には、図２及び図３に示すように、コネクタ組立体５は、正極側ベース電線３の中途部３Ａに取り付けられるベースコネクタ１２（電気コネクタ）と、バッテリーユニット２の正極側バッテリー電線９に取り付けられるバッテリーコネクタ１３（接続対象物側コネクタ）と、を有する。そして、ベースコネクタ１２にバッテリーコネクタ１３を嵌合させることで、バッテリーユニット２の正極側バッテリー電線９の導体１４が正極側ベース電線３の中途部３Ａの導体６に対して電気的に接続する。
【００１４】
同様に、図１に示すように、各コネクタ組立体５は、バッテリーユニット２の負極側バッテリー電線１０の導体１４を負極側ベース電線４の長手方向における中途部４Ａの導体６に対して電気的に接続するために用いられている。即ち、負極側ベース電線４の中途部４Ａにベースコネクタ１２が取り付けられ、バッテリーユニット２の負極側バッテリー電線１０にバッテリーコネクタ１３が取り付けられている。そして、ベースコネクタ１２にバッテリーコネクタ１３を嵌合させることで、バッテリーユニット２の負極側バッテリー電線１０の導体１４が負極側ベース電線４の中途部４Ａの導体６に対して電気的に接続する。
【００１５】
バッテリーユニット２の正極側バッテリー電線９の導体１４を正極側ベース電線３の中途部３Ａの導体６に対して電気的に接続するために用いられるコネクタ組立体５と、バッテリーユニット２の負極側バッテリー電線１０の導体１４を負極側ベース電線４の中途部４Ａの導体６に対して電気的に接続するために用いられるコネクタ組立体５は、誤接続を防止するために若干形状が異なるものの、実質的には同一形状である。従って、以下、バッテリーユニット２の正極側バッテリー電線９の導体１４を正極側ベース電線３の中途部３Ａの導体６に対して電気的に接続するために用いられるコネクタ組立体５のみを説明し、他方のコネクタ組立体５の説明は省略する。
【００１６】
ここで、図１〜図３を参照して、「コネクタ挿抜方向（第１方向）」「ベース電線方向（第２方向）」「コネクタ幅方向（第３方向）」を定義する。コネクタ挿抜方向及びベース電線方向、コネクタ幅方向は互いに直交する方向である。コネクタ挿抜方向は、ベースコネクタ１２に対してバッテリーコネクタ１３を挿抜する方向である。コネクタ挿抜方向は、コネクタ嵌合方向とコネクタ抜去方向を有する。コネクタ嵌合方向は、ベースコネクタ１２に対してバッテリーコネクタ１３を嵌合させる方向である。コネクタ抜去方向は、ベースコネクタ１２からバッテリーコネクタ１３を抜き去る方向である。従って、コネクタ嵌合方向は、コネクタ抜去方向と反対の方向である。本実施形態においてコネクタ挿抜方向は水平方向に等しい。ベース電線方向は、正極側ベース電線３及び負極側ベース電線４が延びる方向である。本実施形態において正極側ベース電線３及び負極側ベース電線４は鉛直方向に沿って延びているから、ベース電線方向は鉛直方向に等しい。ベース電線方向は、上方向と下方向を有する。上方向は、下方向と反対の方向である。コネクタ幅方向は、コネクタ挿抜方向及びベース電線方向に対して直交する方向である。コネクタ幅方向は、正極方向と負極方向を有する。正極方向は、負極側ベース電線４から正極側ベース電線３を見る方向である。即ち、正極方向は、負極側バッテリー電線１０から正極側バッテリー電線９を見る方向である。負極方向は、正極側ベース電線３から負極側ベース電線４を見る方向である。即ち、負極方向は、正極側バッテリー電線９から負極側バッテリー電線１０を見る方向である。従って、正極方向は、負極方向と反対の方向である。本実施形態において、コネクタ幅方向は水平方向に等しい。
【００１７】
図１に示される複数のバッテリーユニット２は、例えばバッテリー収納棚などを用いてベース電線方向に所定ピッチで並べられる。
【００１８】
（ベースコネクタ１２）
次に、図４〜図１９を参照して、ベースコネクタ１２を説明する。
【００１９】
図４には、ベースコネクタ１２の分解斜視図を示している。ベースコネクタ１２は、ベースコンタクト２０（コンタクト）と、ベースハウジング２１（ハウジング）と、を有する。ベースハウジング２１は、メイン分割体２２（第１ハウジング分割体）と、カバー分割体２３（第２ハウジング分割体）と、を有する。
【００２０】
図５〜図８には、ベースコンタクト２０を示している。ベースコンタクト２０は、板厚が約3mmの金属板Mを折り曲げて一体的に形成されている。ベースコンタクト２０は、圧着部３０と延長部３１、段差部３２、接触部３３、移動規制部４０を有する。
【００２１】
図４〜図６に示すように、圧着部３０は、正極側ベース電線３の中途部３Ａの導体６に対して圧着される部分である。図４に示すように、正極側ベース電線３の中途部３Ａの導体６に対して圧着部３０を圧着するために、正極側ベース電線３の中途部３Ａにおいて、絶縁被覆７が局所的に除去されている。図５に示すように、圧着部３０は、一対のカシメ片３４と、カシメ片連結部３５と、を有する。圧着部３０は、正極側ベース電線３の中途部３Ａの導体６に対する圧着前において、ベース電線方向で見ると略U字状に形成されている。図７に示すように、カシメ片連結部３５の板厚方向は、コネクタ幅方向に等しい。一対のカシメ片３４は、コネクタ挿抜方向においてカシメ片連結部３５を挟むように配置されている。一対のカシメ片３４は、カシメ片連結部３５から負極方向に向かって突出している。そして、一対のカシメ片３４の間に正極側ベース電線３の中途部３Ａの導体６を挿し込み、一対のカシメ片３４を正極側ベース電線３の中途部３Ａの導体６に向かってカシメることで（曲げることで）、圧着部３０は、正極側ベース電線３の中途部３Ａの導体６に対して圧着される。即ち、本実施形態において、圧着部３０は、オープンバレル型であると言える。圧着部３０がオープンバレル型であるので、圧着部３０がクローズドバレル型である場合と比較して、圧着部３０を正極側ベース電線３の中途部３Ａの導体６に圧着する際の作業が容易である。図８では、圧着部３０に圧着される前の正極側ベース電線３を二点鎖線で描いている。また、図８では、圧着部３０に圧着される前の正極側ベース電線３の中心軸Cを一点鎖線で描いている。
【００２２】
図７に戻り、延長部３１は、圧着部３０から正極側ベース電線３の長手方向に延びる部分である。即ち、延長部３１は、圧着部３０からベース電線方向に延びている。本実施形態において、延長部３１は、圧着部３０のカシメ片連結部３５から下方向に延びている。延長部３１は、傾斜延長部３６と直線延長部３７を有する。傾斜延長部３６は、カシメ片連結部３５の下方向の端部３５Ａから突出する部分である。傾斜延長部３６は、下方向へ向かうにつれて正極方向に向かうように傾斜している。即ち、図８に示すように、傾斜延長部３６は、下方向へ向かうにつれて正極側ベース電線３の中心軸Cから離れるように傾斜している。図７に戻り、直線延長部３７は、傾斜延長部３６の下方向の端部３６Ａから下方向に突出する部分である。図８に示すように、直線延長部３７の板厚方向は、コネクタ幅方向に等しい。
【００２３】
図６に示すように、段差部３２は、延長部３１から負極方向に延びる部分である。即ち、段差部３２は、延長部３１の直線延長部３７のコネクタ抜去方向の端部３７Ａから負極方向に延びている。本実施形態において、段差部３２の板厚方向は、コネクタ挿抜方向と等しい。即ち、段差部３２の板厚方向と、延長部３１の直線延長部３７の板厚方向は、互いに直交する関係にある。
【００２４】
接触部３３は、バッテリーコネクタ１３に対して電気的に接触する部分である。接触部３３は、略長方形の板状に形成されており、段差部３２の負極方向の端部３２Ａから抜去方向に突出して形成されている。接触部３３の板厚方向は、コネクタ幅方向に等しい。図５に示すように、接触部３３は、コネクタ抜去方向の末端である先端３３Ａと、上方向の末端である上端３３Ｂと、下方向の末端である下端３３Ｃと、コネクタ嵌合方向の末端である後端３３Ｄと、を有する。図５及び図８に示すように、接触部３３は、負極方向を向く負極側接触面３３Ｇと、正極方向を向く正極側接触面３３Ｈと、を有する。図８に示すように、コネクタ幅方向において、接触部３３は、延長部３１から見て正極側ベース電線３の中心軸C側に配置されている。換言すれば、コネクタ幅方向において、接触部３３と、正極側ベース電線３の中心軸Cは、延長部３１を基準として同じ側に位置している。
【００２５】
図５に示すように、接触部３３は、第１対向部分３８と、一対の第２対向部分３９と、を有する。一対の第２対向部分３９は、ベース電線方向で隣り合い、コネクタ幅方向で第１対向部分３８と対向する。上方向側の第２対向部分３９は、上端３３Ｂにおいて第１対向部分３８と連結している。下方向側の第２対向部分３９は、下端３３Ｃにおいて第１対向部分３８と連結している。このように金属板Mを折り返して接触部３３を二重構造としているので、接触部３３の実質的な厚みが金属板Mの厚みの約２倍となっている。
【００２６】
移動規制部４０は、接触部３３の後端３３Ｄから負極方向に突出して形成されている。移動規制部４０の板厚方向は、コネクタ挿抜方向に等しい。移動規制部４０は、一対の移動規制片４１を有する。一対の移動規制片４１は、接触部３３の後端３３Ｄにおいて一対の第２対向部分３９から夫々突出している。
【００２７】
次に、図９〜図１５を参照して、ベースハウジング２１を説明する。
【００２８】
図９〜図１２に示すように、メイン分割体２２は、メイン分割体本体５０（図１１及び図１２参照）と、内側カバー５１と、外側カバー５２と、一対の電線対向壁５３と、を有する。メイン分割体２２は、絶縁樹脂製であって、一体的に形成されている。
【００２９】
図１１及び図１２に示すように、メイン分割体本体５０は、平板状であって、その板厚方向はコネクタ挿抜方向に等しい。図１２に示すように、メイン分割体本体５０には、ベースコンタクト２０の接触部３３がコネクタ抜去方向で挿入される挿入孔５４が形成されている。
【００３０】
図１１及び図１２に示すように、内側カバー５１は、メイン分割体本体５０から抜去方向に向かって突出して形成されている。図１１に示すように、内側カバー５１は、先端カバー部５５、上端カバー部５６、下端カバー部５７、一対の補強ビーム部５８を有する。
【００３１】
先端カバー部５５は、図５のベースコンタクト２０の接触部３３の先端３３Ａを覆う梁体である。先端カバー部５５は、図５のベースコンタクト２０の接触部３３の先端３３Ａに沿って延びている。即ち、先端カバー部５５は、ベース電線方向に延びている。上端カバー部５６は、図５のベースコンタクト２０の接触部３３の上端３３Ｂを覆う梁体である。上端カバー部５６は、図５のベースコンタクト２０の接触部３３の上端３３Ｂに沿って延びている。即ち、上端カバー部５６は、コネクタ挿抜方向に延びている。詳しくは、上端カバー部５６は、メイン分割体本体５０からコネクタ抜去方向に突出し、先端カバー部５５の上端に至るまで延びている。下端カバー部５７は、図５のベースコンタクト２０の接触部３３の下端３３Ｃを覆う梁体である。下端カバー部５７は、図５のベースコンタクト２０の接触部３３の下端３３Ｃに沿って延びている。即ち、下端カバー部５７は、コネクタ挿抜方向に延びている。詳しくは、下端カバー部５７は、メイン分割体本体５０からコネクタ抜去方向に突出し、先端カバー部５５の下端に至るまで延びている。一対の補強ビーム部５８は、先端カバー部５５を補強するための梁体である。一対の補強ビーム部５８は、図５のベースコンタクト２０の接触部３３の負極側接触面３３Ｇ及び正極側接触面３３Ｈに沿って夫々延びている。即ち、一対の補強ビーム部５８は、コネクタ挿抜方向に延びている。詳しくは、一対の補強ビーム部５８は、メイン分割体本体５０からコネクタ抜去方向に突出し、先端カバー部５５の長手方向の中央に至るまで、夫々延びている。そして、図１１及び図１２に示すように、内側カバー５１内には、図５のベースコンタクト２０の接触部３３が挿入される接触部挿入空間５９が形成されている。
【００３２】
図９及び図１２に示すように、外側カバー５２は、内側カバー５１の外側に配置されて、図３に示すバッテリーコネクタ１３が挿入されるコネクタ挿入空間６０を形成する部分である。外側カバー５２は、コネクタ挿抜方向に延びる角筒状に形成されている。図１２に示すように、外側カバー５２は、メイン分割体本体５０からコネクタ抜去方向に突出して形成されている。図９に示すように、外側カバー５２は、扁平状に形成されている。詳しくは、外側カバー５２のコネクタ幅方向の寸法は、外側カバー５２のベース電線方向の寸法よりも小さい。外側カバー５２は、コネクタ幅方向に対向する一対の大側壁６１と、ベース電線方向に対向する一対の小側壁６２と、を有する。一対の大側壁６１は、コネクタ挿入空間６０をコネクタ幅方向で区画する。一対の小側壁６２は、コネクタ挿入空間６０をベース電線方向で区画する。一対の小側壁６２は、ベース電線方向において、図１１の上端カバー部５６及び下端カバー部５７と夫々対向している。即ち、一対の小側壁６２のうち上方向側の小側壁６２は、図１１の上端カバー部５６に対してベース電線方向で対向している。一対の小側壁６２のうち下方向側の小側壁６２は、図１１の下端カバー部５７に対してベース電線方向で対向している。図９に示すように、一対の小側壁６２には、一対のベースロック部６３（ロック部）が夫々形成されている。一対のベースロック部６３は、ベースコネクタ１２と嵌合したバッテリーコネクタ１３のベースコネクタ１２からの抜け止めとして機能する部分である。そして、一対のベースロック部６３が一対の大側壁６１ではなく一対の小側壁６２に夫々形成されていることで、外側カバー５２のコネクタ幅方向における寸法が抑えられている。付言すれば、一対のベースロック部６３は、一対の小側壁６２に夫々形成されているので、図５のベースコンタクト２０の接触部３３の板厚方向に対して直交する方向で接触部３３を挟むように配置されると言及することができる。一対のベースロック部６３は、ベース電線方向において接触部３３を挟むように配置されている。
【００３３】
図１２に示すように、一対の電線対向壁５３は、平板状であって、メイン分割体本体５０からコネクタ嵌合方向に突出して形成されている。図１０に示すように、一対の電線対向壁５３の板厚方向は、コネクタ幅方向に等しい。一対の電線対向壁５３は、コネクタ幅方向において互いに対向している。一対の電線対向壁５３は、コネクタ幅方向において若干離れて配置されている。図１２に示すように、メイン分割体２２は、メイン分割体本体５０と、一対の電線対向壁５３と、によって形成される電線貫通溝６４を有している。電線貫通溝６４は、ベース電線方向に延びており、コネクタ嵌合方向及びベース電線方向に開口している。図１０及び図１３に示すように、各電線対向壁５３の上方向の端部５３Ａには、上終端キャップ取付溝６５と、上取付ツメ６６と、が形成されている。同様に、図１０及び図１４に示すように、各電線対向壁５３の下方向の端部５３Ｂには、下終端キャップ取付溝６７と、下取付窪み６８と、が形成されている。下取付窪み６８は、上方向に開口する窪みである。図１２に示すように、一対の電線対向壁５３のうち負極方向側の電線対向壁５３には、メイン分割体２２に挿入されたベースコンタクト２０のメイン分割体２２からの抜け止めとして機能するコンタクトロックバネ片Rが設けられている。
【００３４】
図１５には、カバー分割体２３を示している。カバー分割体２３は、カバー分割体本体７０と、一対の上弾性ロックユニット７１と、一対の下固定ロックツメ７２と、を有する。カバー分割体２３は、ベース電線方向に細長く形成されている。カバー分割体２３は、絶縁樹脂製であって、一体的に形成されている。
【００３５】
カバー分割体本体７０は、平板状に形成されており、その板厚方向はコネクタ挿抜方向に等しい。
【００３６】
一対の上弾性ロックユニット７１は、カバー分割体本体７０の上方向の端部７０Ａの近傍に配置されている。各上弾性ロックユニット７１は、弾性梁７３と、弾性ロックツメ７４と、を有する。各弾性梁７３は、ベース電線方向に延びる梁であって、カバー分割体本体７０によって両端支持されている。各弾性ロックツメ７４は、各弾性梁７３に設けられており、コネクタ幅方向に突出して形成されている。各弾性ロックツメ７４は、各弾性梁７３を介して間接的にカバー分割体本体７０に支持されることで、カバー分割体本体７０に対してコネクタ幅方向で弾性変位可能となっている。
【００３７】
一対の下固定ロックツメ７２は、カバー分割体本体７０の下方向の端部７０Ｂに形成されている。各下固定ロックツメ７２は、下方向に突出して形成されている。各下固定ロックツメ７２は、カバー分割体本体７０によって直接的に支持されているので、カバー分割体本体７０に対して弾性変位不能である。
【００３８】
（ベースコネクタ１２の正極側ベース電線３への取り付け方）
次に、ベースコネクタ１２の正極側ベース電線３の中途部３Ａへの取り付け方を説明する。
【００３９】
先ず、ベース電線方向において所定の間隔で、図１〜図３に示す正極側ベース電線３の絶縁被覆７を部分的に除去し、導体６を局所的に露出させる。具体的には、前述したバッテリー収容棚などを用いてベース電線方向に並べられた複数のバッテリーユニット２に対してコネクタ挿抜方向で対向する位置で、正極側ベース電線３の絶縁被覆７を部分的に除去する。
【００４０】
次に、図６に示すベースコンタクト２０の圧着部３０を、露出した導体６に対して圧着する。図１６には、ベースコンタクト２０の圧着部３０が、露出した導体６に対して圧着された状態を示している。
【００４１】
次に、図５に示すベースコンタクト２０の接触部３３を、図１１及び図１２に示すメイン分割体２２の挿入孔５４に挿入し、更に、メイン分割体２２の内側カバー５１の接触部挿入空間５９に挿入する。すると、図５に示すベースコンタクト２０の移動規制部４０が、図１２に示すメイン分割体２２のメイン分割体本体５０に対して突き当り、ベースコンタクト２０の接触部３３の、接触部挿入空間５９へのそれ以上の挿入が禁止される。また、このとき、図５のベースコンタクト２０の移動規制部４０が、図１２のメイン分割体２２のコンタクトロックバネ片Rに引っ掛かり、ベースコンタクト２０のメイン分割体２２からの抜けが防止され、ベースコンタクト２０がメイン分割体２２に固定される。図１７には、ベースコンタクト２０がメイン分割体２２に固定された状態を示している。図１７の状態では、接触部３３は、図１１の内側カバー５１によって覆われつつ、図１１の内側カバー５１の隙間から部分的に露出した状態となる。また、図１７の状態で、正極側ベース電線３の中途部３Ａは、電線貫通溝６４内に収容される。また、図１７に示すように、各電線対向壁５３が有する上取付ツメ６６及び下取付窪み６８は、ベース電線方向において離れて配置されている。下取付窪み６８は、上取付ツメ６６と比較して、ベースコンタクト２０の圧着部３０から遠い位置に配置されている。上取付ツメ６６が配置されている位置を上ロック位置８７（第２の取付位置）と定義する。下取付窪み６８が配置されている位置を下ロック位置８８（第１の取付位置）と定義する。ベース電線方向において、下ロック位置８８は、上ロック位置８７と比較して、ベースコンタクト２０の圧着部３０から遠くに位置している。
【００４２】
次に、図１８及び図１９に示すように、メイン分割体２２に対してカバー分割体２３を取り付ける。具体的には、先ず、図１５に示すカバー分割体２３の一対の下固定ロックツメ７２を、図１４に示すメイン分割体２２の一対の電線対向壁５３の下取付窪み６８に挿入する。図１８には、一対の下固定ロックツメ７２を一対の下取付窪み６８に挿入した状態を示している。次に、図１５に示すカバー分割体２３の一対の弾性ロックツメ７４を、図１３に示すメイン分割体２２の一対の電線対向壁５３の上取付ツメ６６に引っ掛ける。これにより、メイン分割体２２に対するカバー分割体２３の取り付けが完了する。なお、図１５の一対の弾性ロックツメ７４を図１３の一対の上取付ツメ６６に引っ掛ける際、図１５の一対の弾性ロックツメ７４は、コネクタ幅方向に若干弾性変位するので、小さな力で、図１５の一対の弾性ロックツメ７４を、図１３の一対の上取付ツメ６６に引っ掛けることができる。図１９には、メイン分割体２２に対してカバー分割体２３を取り付けた状態を示している。図１９に示すように、メイン分割体２２に対してカバー分割体２３を取り付けて、図１０に示すメイン分割体２２の電線貫通溝６４のコネクタ嵌合方向の開口をカバー分割体２３で閉塞することで、図１９に示すように、ベースハウジング２１には、正極側ベース電線３がベースハウジング２１をベース電線方向に貫通するための電線貫通空間７５が形成される。電線貫通空間７５は、図１０に示すメイン分割体２２の電線貫通溝６４と同様、ベース電線方向に延びるように形成されている。図１９に示すように、電線貫通空間７５は、上方向及び下方向に開口している。換言すれば、電線貫通空間７５は、上開口７６及び下開口７７を有する。上開口７６は、電線貫通空間７５から見て上方向に位置する、電線貫通空間７５の開口である。下開口７７は、電線貫通空間７５から見て下方向に位置する、電線貫通空間７５の開口である。電線貫通空間７５のコネクタ抜去方向側は、図１２のメイン分割体本体５０によって区画されている。電線貫通空間７５のコネクタ幅方向側は、図１２の一対の電線対向壁５３によって区画されている。電線貫通空間７５のコネクタ嵌合方向側は、図１９のカバー分割体２３によって区画されている。従って、図１２のメイン分割体本体５０及び一対の電線対向壁５３と図１９のカバー分割体２３は、図１９に示すように、電線貫通空間７５を囲む電線貫通筒体８９を構成している。電線貫通筒体８９は、ベース電線方向に延びる筒体である。電線貫通空間７５の中心軸は、図８に示す正極側ベース電線３の中心軸Cに一致している。即ち、電線貫通筒体８９の中心軸は、図８に示す正極側ベース電線３の中心軸Cに一致している。
【００４３】
なお、図２０及び図２１には、終端キャップ７８（閉塞具）を示している。即ち、ベースコネクタ１２は、終端キャップ７８を更に有している。終端キャップ７８は、ベースコネクタ１２を正極側ベース電線３の中途部３Ａではなく、正極側ベース電線３の上端又は下端に取り付ける場合に用いられる。ベースコネクタ１２を正極側ベース電線３の上端に取り付ける場合は、図２０に示すように、終端キャップ７８を上終端キャップ取付溝６５に取り付けて、電線貫通溝６４の上方向の開口を閉塞しておく。すると、メイン分割体２２にカバー分割体２３を取り付けた状態で、図１９に示す電線貫通空間７５の上開口７６が終端キャップ７８によって閉塞されることになり、電線貫通空間７５への異物侵入を防止することができる。ベースコネクタ１２を正極側ベース電線３の下端に取り付ける場合は、終端キャップ７８は、下終端キャップ取付溝６７に取り付ければよい。
【００４４】
（バッテリーコネクタ１３）
次に、図２２〜図２５を参照して、バッテリーコネクタ１３を説明する。
【００４５】
図２２及び図２３には、バッテリーコネクタ１３の斜視図を示している。図２４及び図２５には、バッテリーコネクタ１３の分解斜視図を示している。図２２〜図２５に示すように、バッテリーコネクタ１３は、バッテリーコンタクト８０と、バッテリーコンタクト８０を収容するバッテリーハウジング８１と、を有する。
【００４６】
図２４及び図２５に示すように、バッテリーコンタクト８０は、正極側バッテリー電線９の導体１４（図２を併せて参照）に圧着される圧着部９０と、８つの接触バネ片８２と、８つの接触バネ片８２を保持する角筒状の保持部８３と、を有する。８つの接触バネ片８２は、コネクタ幅方向において４つずつに分かれて配置されている。
【００４７】
図２５に示すように、バッテリーハウジング８１は、コネクタ挿抜方向に角筒状に延びるハウジング本体８４と、ハウジング本体８４のコネクタ嵌合方向の開口８４Ａを部分的に閉塞する開口制限部８５と、一対のバッテリー側ロック部８６と、を有する。開口制限部８５は、ハウジング本体８４の開口８４Ａを部分的に閉塞することで、ハウジング本体８４の開口８４Ａの開口面積を必要最小限としている。ここで、「必要最小限」とは、ハウジング本体８４の開口８４Ａに図５に示すベースコンタクト２０の接触部３３と、図１１に示すメイン分割体２２の内側カバー５１と、を挿入できるために必要となる開口面積の最低限度を意味している。従って、開口制限部８５は、バッテリーコンタクト８０の８つの接触バネ片８２とコネクタ挿抜方向で対向する複数のバネ片対向部８５Ａを有する。一対のバッテリー側ロック部８６は、ツメ状に形成されており、ベース電線方向においてハウジング本体８４を挟むように配置されている。一対のバッテリー側ロック部８６は、ベース電線方向に弾性変位可能にハウジング本体８４に支持されている。
【００４８】
（バッテリーコネクタ１３の正極側バッテリー電線９への取り付け方法）
次に、バッテリーコネクタ１３を正極側バッテリー電線９へ取り付ける方法を説明する。先ず、図２の正極側バッテリー電線９の先端の絶縁被覆１５を除去し、導体１４を露出させる。次に、バッテリーコンタクト８０の圧着部９０を、露出した導体１４に圧着する。そして、バッテリーコンタクト８０をバッテリーハウジング８１内に挿入する。これにより、バッテリーコネクタ１３の正極側バッテリー電線９への取り付けが完了する。
【００４９】
（コネクタ組立体５の使用方法）
次に、コネクタ組立体５の使用方法を説明する。
【００５０】
先ず、図１に示すように、正極側ベース電線３の中途部３Ａにベースコネクタ１２を取り付ける。同様に、負極側ベース電線４の中途部４Ａにベースコネクタ１２を取り付ける。
【００５１】
また、各バッテリーユニット２の正極側バッテリー電線９にバッテリーコネクタ１３を取り付ける。同様に、各バッテリーユニット２の負極側バッテリー電線１０にバッテリーコネクタ１３を取り付ける。
【００５２】
そして、複数のバッテリーユニット２を、バッテリー収容棚等を用いて、ベース電線方向に所定ピッチで配置する。この状態で、図１及び図３に示すように、各バッテリーユニット２の正極側バッテリー電線９に取り付けたバッテリーコネクタ１３は、正極側ベース電線３の中途部３Ａに取り付けたベースコネクタ１２とコネクタ挿抜方向で対向している。同様に、各バッテリーユニット２の負極側バッテリー電線１０に取り付けたバッテリーコネクタ１３は、負極側ベース電線４の中途部４Ａに取り付けたベースコネクタ１２とコネクタ挿抜方向で対向している。
【００５３】
次に、正極側ベース電線３の中途部３Ａに取り付けたベースコネクタ１２を、各バッテリーユニット２の正極側バッテリー電線９に取り付けたバッテリーコネクタ１３に嵌合させる。同様に、負極側ベース電線４の中途部４Ａに取り付けたベースコネクタ１２を、各バッテリーユニット２の負極側バッテリー電線１０に取り付けたバッテリーコネクタ１３に嵌合させる。
【００５４】
バッテリーコネクタ１３をベースコネクタ１２に嵌合させるには、バッテリーコネクタ１３を、図９のベースコネクタ１２のベースハウジング２１のメイン分割体２２のコネクタ挿入空間６０にコネクタ嵌合方向で挿入し、図２４のバッテリーコネクタ１３の一対のバッテリー側ロック部８６を図９のベースコネクタ１２のベースハウジング２１のメイン分割体２２の一対のベースロック部６３に引っ掛ける。これにより、各バッテリーユニット２の正極側バッテリー電線９の導体１４が、正極側ベース電線３の中途部３Ａの導体６に対して電気的に接続する。詳しく見ていくと、各バッテリーユニット２の正極側バッテリー電線９に取り付けた図２５のバッテリーコネクタ１３のバッテリーコンタクト８０の８つの接触バネ片８２が、図５のベースコネクタ１２のベースコンタクト２０の接触部３３の負極側接触面３３Ｇ及び正極側接触面３３Ｈに夫々接触する。負極側ベース電線４についても同様である。
【００５５】
以上に、第１実施形態のベースコネクタ１２を説明したが、ベースコネクタ１２は、以下の特長を有する。
【００５６】
図１〜図３に示すように、ベースコネクタ１２（電気コネクタ）は、正極側ベース電線３（電線）の長手方向における中途部３Ａに対してバッテリーユニット２（接続対象物）を電気的に接続するために中途部３Ａに取り付けられ、バッテリーユニット２に取り付けられたバッテリーコネクタ１３（接続対象物側コネクタ）と嵌合可能なものである。図５に示すように、ベースコネクタ１２は、正極側ベース電線３に対して圧着される圧着部３０と、バッテリーコネクタ１３に対して電気的に接触する接触部３３と、を有するベースコンタクト２０（コンタクト）と、ベースコンタクト２０を収容するベースハウジング２１（ハウジング）と、を備える。図１９に示すように、ベースハウジング２１は、正極側ベース電線３がベースハウジング２１を貫通するための電線貫通空間７５を有する。以上の構成によれば、正極側ベース電線３の長手方向における中途部３Ａに対してバッテリーユニット２を電気的に接続することができる。また、ベースコンタクト２０が正極側ベース電線３に対して圧着されるので、ベースコンタクト２０を正極側ベース電線３に対して確実に固定することができる。
【００５７】
図５に示すように、圧着部３０は、正極側ベース電線３に向かってカシメられる一対のカシメ片３４を有するオープンバレル型に構成されている。以上の構成によれば、ベースコンタクト２０を正極側ベース電線３に対して一層確実に固定することができる。
【００５８】
ベースコンタクト２０は、圧着部３０からベース電線方向に延びる延長部３１を有する。接触部３３は、延長部３１から突出して形成されている。以上の構成によれば、圧着部３０と接触部３３を互いに離して配置することができる。
【００５９】
図７に示すように、延長部３１及び接触部３３は平板状である。延長部３１の板厚方向と接触部３３の板厚方向は、実質的に平行である。以上の構成によれば、延長部３１の板厚方向におけるベースコネクタ１２の小型化に寄与する。
【００６０】
図７に示すように、延長部３１と接触部３３は、延長部３１の板厚方向においてズレている。ベースコンタクト２０は、延長部３１と接触部３３を連結する段差部３２を有する。以上の構成によれば、延長部３１の板厚方向における接触部３３の位置を延長部３１の位置に拘束されることなく自由に決めることができる。
【００６１】
接触部３３は、延長部３１から見て正極側ベース電線３の中心軸C側に位置している。以上の構成によれば、接触部３３が延長部３１から見て正極側ベース電線３の中心軸C側と反対側に位置している場合と比較して、延長部３１の板厚方向におけるベースコネクタ１２の小型化に寄与する。
【００６２】
図４に示すように、ベースハウジング２１は、ベースコンタクト２０を保持するメイン分割体２２（第１ハウジング分割体）と、メイン分割体２２に対して着脱可能なカバー分割体２３（第２ハウジング分割体）と、を有する。図１８及び図１９に示すように、メイン分割体２２に対してカバー分割体２３を取り付けることで、電線貫通空間７５が形成される。即ち、ベースハウジング２１が一体形成されている場合は、正極側ベース電線３をベースハウジング２１に貫通させるに際し、電線貫通空間７５に正極側ベース電線３の端部を通す必要が生じる。これに対し、以上の構成によれば、カバー分割体２３をメイン分割体２２から予め取り外しておき、メイン分割体２２とカバー分割体２３で正極側ベース電線３の長手方向における中途部３Ａを挟むようにして、カバー分割体２３をメイン分割体２２に取り付けるだけで正極側ベース電線３をベースハウジング２１に貫通させることができるので、ベースコネクタ１２を正極側ベース電線３に取り付ける作業が簡単である。
【００６３】
図１７〜図１９に示すように、カバー分割体２３は、ベース電線方向において互いに離れた下ロック位置８８（第１の取付位置）と上ロック位置８７（第２の取付位置）においてメイン分割体２２に対して取り付けられている。ベース電線方向において、下ロック位置８８は、上ロック位置８７と比較して、ベースコンタクト２０の圧着部３０から遠くに位置している。図１５に示すように、カバー分割体２３は、カバー分割体本体７０（第２ハウジング分割体本体）と、下ロック位置８８においてメイン分割体２２に引っ掛かる下固定ロックツメ７２（第１のツメ部）と、上ロック位置８７においてメイン分割体２２に引っ掛かる弾性ロックツメ７４（第２のツメ部）と、を有する。下固定ロックツメ７２は、カバー分割体本体７０に対して弾性変位不能に、カバー分割体本体７０に支持されている。弾性ロックツメ７４は、カバー分割体本体７０に対して弾性変位可能に、カバー分割体本体７０に支持されている。以上の構成によれば、下固定ロックツメ７２と弾性ロックツメ７４が何れもカバー分割体本体７０に対して弾性変位不能に支持されている場合と比較して、カバー分割体２３をメイン分割体２２に取り付け易い。また、圧着部３０から遠ければ遠いほど正極側ベース電線３はベースハウジング２１に対して相対的に大きく変位するので、下固定ロックツメ７２には弾性ロックツメ７４と比較して大きな外力が作用し易い。これに対し、下固定ロックツメ７２がカバー分割体本体７０に対して弾性変形不能に支持されているので、正極側ベース電線３が煽られても、下固定ロックツメ７２がカバー分割体本体７０から外れてしまうことがない。
【００６４】
図１９及び図２０に示すように、ベースコネクタ１２は、電線貫通空間７５の長手方向における上開口７６及び下開口７７のうち少なくとも何れか一方を閉塞する終端キャップ７８（閉塞具）を有する。以上の構成によれば、ベースコネクタ１２を正極側ベース電線３の端部に取り付けた場合に、ベースコネクタ１２の電線貫通空間７５に異物が混入することを防止できる。
【００６５】
図９に示すように、ベースハウジング２１は、バッテリーコネクタ１３のベースコネクタ１２からの抜け止めとしての一対のベースロック部６３（ロック部）を有する。一対のベースロック部６３は、ベースコンタクト２０の接触部３３の板厚方向に対して直交する方向で接触部３３を挟むように配置されている。以上の構成によれば、一対のベースロック部６３が接触部３３の板厚方向において接触部３３を挟むように配置されている場合と比較して、接触部３３の板厚方向におけるベースコネクタ１２の小型化に寄与する。
【００６６】
参考までに、図２６には、図３においてベースコネクタ１２のベースハウジング２１と、バッテリーコネクタ１３のバッテリーハウジング８１を消した様子を示している。
【００６７】
（第２実施形態）
次に、図２７を参照して、第２実施形態を説明する。上記第１実施形態と重複する説明は省略する。
【００６８】
本実施形態において、ベースコンタクト２０は、更に、規制部９１を有する。規制部９１は、延長部３１から負極側ベース電線４に突出して形成されている。規制部９１は、正極側ベース電線３を挟んで段差部３２と反対側に配置されている。規制部９１は、正極側ベース電線３とコネクタ挿抜方向において対向する。正極側ベース電線３は、接触部３３と規制部９１の間に位置している。
【００６９】
即ち、ベースコンタクト２０は、延長部３１から、延長部３１の板厚方向に突出して、正極側ベース電線３と対向可能な規制部９１を有する。正極側ベース電線３は、接触部３３と規制部９１の間に位置している。以上の構成によれば、ベースコンタクト２０に対する正極側ベース電線３の姿勢が制限されるので、正極側ベース電線３が煽られた際にベースハウジング２１に作用する外力が低減される。
【００７０】
（第３実施形態）
次に、図２８を参照して、第３実施形態を説明する。上記第１実施形態と重複する説明は省略する。
【００７１】
上記第１実施形態では、図２６に示すように、ベースコンタクト２０をピン型に構成し、バッテリーコンタクト８０をソケット型に構成した。しかし、これに代えて、図２８に示すように、ベースコンタクト２０をソケット型とし、バッテリーコンタクト８０をピン型に構成してもよい。
【００７２】
（第４実施形態）
次に、図２９〜図３７を参照して、第４実施形態を説明する。上記第１実施形態と重複する説明は省略する。上記第１実施形態の構成要素と対応する構成要素には、原則として、同じ符号を付している。
【００７３】
図２９には、バッテリーユニット集合体１の斜視図を示している。図３０には嵌合前のコネクタ組立体５を示し、図３１には嵌合後のコネクタ組立体５を示している。
【００７４】
図３２には、ベースコネクタ１２の分解斜視図を示している。図３２に示すように、ベースコネクタ１２は、ベースコンタクト２００（コンタクト）と、ベースハウジング２０１（ハウジング）と、を有する。ベースハウジング２０１は、メイン分割体２０２（第１ハウジング分割体）と、カバー分割体２０３（第２ハウジング分割体）と、を有する。
【００７５】
図３３には、ベースコンタクト２００を示している。ベースコンタクト２００は、板厚が約3mmの金属板Mを折り曲げて一体的に形成されている。ベースコンタクト２００は、圧着部２０４と延長部２０５、接触部２０６を有する。
【００７６】
圧着部２０４は、正極側ベース電線３の中途部３Ａの導体６に対して圧着される部分である。圧着部２０４は、オープンバレル型である。
【００７７】
延長部２０５は、圧着部２０４から下方向に延びている。
【００７８】
接触部２０６は、バッテリーコネクタ１３に対して電気的に接触する部分である。接触部２０６は、ソケット型に構成されている。即ち、接触部２０６は、８つの接触バネ片２０７と、８つの接触バネ片２０７を保持する保持部２０８と、を有する。保持部２０８は、延長部２０５の下方向の端部２０５Ａからコネクタ抜去方向に角筒状に延びている。即ち、保持部２０８は、ベース電線方向に対して直交する方向に延びている。保持部２０８は、ベース電線方向において対向する天板２０９（第１の板部）及び底板２１０（第１の板部）と、コネクタ幅方向において対向する２つの側板２１６（第２の板部）と、を有する。天板２０９と底板２１０の間の距離D1は、２つの側板２１６の間の距離D2よりも小さい。端的に言えば、保持部２０８は、横向きの姿勢である。８つの接触バネ片２０７は、何れも、保持部２０８によって片持ち梁状に保持されている。接触バネ片２０７の数は、本実施形態のように８つであることに代えて、１〜７つでもよいし、９つ以上であってもよい。
【００７９】
図３２に戻り、メイン分割体２０２は、電線収容部２１１と、コンタクト収容部２１２と、２つのベースロック部２１３と、を有する。
【００８０】
電線収容部２１１は、正極側ベース電線３を収容可能な電線貫通溝２１４を有する。
【００８１】
コンタクト収容部２１２は、ベースコンタクト２００を収容する部分である。
【００８２】
２つのベースロック部２１３は、コンタクト収容部２１２をコネクタ幅方向で挟むように配置されている。２つのベースロック部２１３は、コネクタ幅方向に弾性変位可能にコンタクト収容部２１２に保持されている。各ベースロック部２１３は、コネクタ挿抜方向に延びる両端支持梁によって弾性的に支持される突起である。例えば図３１に示すように、コネクタ幅方向に沿って見ると、この両端支持梁の両端の間に正極側ベース電線３が位置する。
【００８３】
以上の構成で、正極側ベース電線３にベースコンタクト２００を取り付け、ベースコンタクト２００をコンタクト収容部２１２に収容し、カバー分割体２０３を電線収容部２１１に取り付けることで、図３０に示すように、ベースハウジング２０１には、正極側ベース電線３がベースハウジング２０１をベース電線方向に貫通するための電線貫通空間２１５が形成される。
【００８４】
図３４には、バッテリーコネクタ１３の分解斜視図を示している。バッテリーコネクタ１３は、バッテリーコンタクト３００と、バッテリーコンタクト３００を保持するバッテリーハウジング３０１と、コンタクトロック３０２と、を有する。
【００８５】
図３５に示すように、バッテリーコンタクト３００は、板厚が約6mmの金属板Mを打ち抜いて平板状に形成されてる。バッテリーコンタクト３００は、コネクタ挿抜方向に細長く形成されている。バッテリーコンタクト３００の板厚方向は、ベース電線方向に一致している。バッテリーコンタクト３００は、ボルト締結部３０３と、接触部３０４と、２つのロック窪み３０５を有する。ボルト締結部３０３は、図示しないバッテリーのバッテリーポストに対してボルト締結される部分である。接触部３０４は、図３３に示すベースコンタクト２００に対して電気的に接触する部分である。接触部３０４の板厚方向は、ベース電線方向と一致している。２つのロック窪み３０５は、ボルト締結部３０３と接触部３０４の間に形成されている。
【００８６】
図３４に戻り、バッテリーハウジング３０１は、内側カバー３０６と外側カバー３０７を有する。外側カバー３０７は、２つのバッテリーロック部３０８を有する。バッテリーハウジング３０１は、更に、バッテリーユニット２のバッテリー本体８のベース電線対向面１１に対してバッテリーコネクタ１３をボルト締結で取り付けるための２つのボルト締結部３０９を有する。
【００８７】
コンタクトロック３０２は、バッテリーコンタクト３００のバッテリーハウジング３０１からの抜去を禁止するものである。コンタクトロック３０２は、バッテリーハウジング３０１に対してベース電線方向で着脱可能に構成されている。
【００８８】
この構成で、バッテリーコンタクト３００をバッテリーハウジング３０１の内側カバー３０６に挿入し、バッテリーハウジング３０１にコンタクトロック３０２を取り付けると、コンタクトロック３０２がバッテリーコンタクト３００のロック窪み３０５に挿入され、もって、バッテリーコンタクト３００のバッテリーハウジング３０１からの抜去が禁止される。
【００８９】
図３０に戻り、ベースコネクタ１２をバッテリーコネクタ１３に嵌合させるには、ベースコネクタ１２のコンタクト収容部２１２をバッテリーコネクタ１３の外側カバー３０７に挿入すればよい。すると、図３０及び図３１に示すように、ベースコネクタ１２の２つのベースロック部２１３がバッテリーコネクタ１３の２つのバッテリーロック部３０８に引っ掛かり、ベースコネクタ１２のバッテリーコネクタ１３からの抜去が禁止された状態となる。
【００９０】
図３６及び図３７には、説明の便宜上、ベースコンタクト２００とバッテリーコンタクト３００、正極側ベース電線３のみを示している。図３６は、ベースコネクタ１２をバッテリーコネクタ１３に嵌合させる前の状態を示している。図３７は、ベースコネクタ１２をバッテリーコネクタ１３に嵌合させた後の状態を示している。図３６及び図３７に示すように、ベースコネクタ１２をバッテリーコネクタ１３に嵌合させると、各バッテリーユニット２の図示しないバッテリーポストに取り付けたバッテリーコンタクト３００の接触部３０４が、ベースコンタクト２００の接触部２０６の保持部２０８に挿入されて、８つの接触バネ片２０７と電気的に接触する。
【００９１】
以上に、第４実施形態を説明したが、上記第４実施形態は、以下の特長を有する。
【００９２】
ベースコネクタ１２（電気コネクタ）は、正極側ベース電線３（電線）の長手方向における中途部３Ａに対してバッテリーユニット２（接続対象物）を電気的に接続するために中途部３Ａに取り付けられ、バッテリーユニット２に取り付けられたバッテリーコネクタ１３（接続対象物側コネクタ）と嵌合可能なものである。図３２及び図３３に示すように、ベースコネクタ１２は、正極側ベース電線３に対して圧着される圧着部２０４と、バッテリーコネクタ１３に対して電気的に接触する接触部２０６と、を有するベースコンタクト２００（コンタクト）と、ベースコンタクト２００を収容するベースハウジング２０１（ハウジング）と、を備える。図３０に示すように、ベースハウジング２０１は、正極側ベース電線３がベースハウジング２０１を貫通するための電線貫通空間２１５を有する。以上の構成によれば、正極側ベース電線３の長手方向における中途部３Ａに対してバッテリーユニット２を電気的に接続することができる。また、ベースコンタクト２００が正極側ベース電線３に対して圧着されるので、ベースコンタクト２００を正極側ベース電線３に対して確実に固定することができる。
【００９３】
図３３に示すように、圧着部２０４は、正極側ベース電線３に向かってカシメられる一対のカシメ片２０４Ａを有するオープンバレル型に構成されている。以上の構成によれば、ベースコンタクト２００を正極側ベース電線３に対して一層確実に固定することができる。
【００９４】
図３３に示すように、ベースコンタクト２００は、圧着部２０４からベース電線方向に延びる延長部２０５を有する。接触部２０６は、延長部２０５から突出して形成されている。このように圧着部２０４と接触部２０６はベース電線方向において互いに離れて配置されている。
【００９５】
接触部２０６は、接触バネ片２０７と、接触バネ片２０７を支持する保持部２０８と、を有する。具体的には、接触部２０６は、複数の接触バネ片２０７と、複数の接触バネ片２０７を支持する保持部２０８と、を有する。
【００９６】
保持部２０８は、ベース電線方向に対して直交する方向であるコネクタ挿抜方向に延びている。換言すると、保持部２０８は、延長部２０５の板厚方向と平行な方向に延びている。
【００９７】
保持部２０８は、ベース電線方向において対向する天板２０９及び底板２１０（２つの第１の板部）と、ベース電線方向に対して直交する方向であるコネクタ幅方向において対向する２つの側板２１６（第２の板部）と、を有して角筒状に形成されている。天板２０９及び底板２１０の間の距離D1は、２つの側板２１６の間の距離D2よりも小さい。
【符号の説明】
【００９８】
１  バッテリーユニット集合体
２  バッテリーユニット（接続対象物）
３  正極側ベース電線（電線）
３Ａ  中途部
４  負極側ベース電線（電線）
４Ａ  中途部
５  コネクタ組立体
６  導体
７  絶縁被覆
８  バッテリー本体
９  正極側バッテリー電線
１０  負極側バッテリー電線
１１  ベース電線対向面
１２  ベースコネクタ（電気コネクタ）
１３  バッテリーコネクタ
１４  導体
１５  絶縁被覆
２０  ベースコンタクト（コンタクト）
２１  ベースハウジング（ハウジング）
２２  メイン分割体（第１ハウジング分割体）
２３  カバー分割体（第２ハウジング分割体）
３０  圧着部
３１  延長部
３２  段差部
３２Ａ  端部
３３  接触部
３３Ａ  先端
３３Ｂ  上端
３３Ｃ  下端
３３Ｄ  後端
３３Ｇ  負極側接触面
３３Ｈ  正極側接触面
３４  カシメ片
３５  カシメ片連結部
３５Ａ  端部
３６  傾斜延長部
３６Ａ  端部
３７  直線延長部
３７Ａ  端部
３８  第１対向部分
３９  第２対向部分
４０  移動規制部
４１  移動規制片
５０  メイン分割体本体
５１  内側カバー
５２  外側カバー
５３  電線対向壁
５３Ａ  端部
５３Ｂ  端部
５４  挿入孔
５５  先端カバー部
５６  上端カバー部
５７  下端カバー部
５８  補強ビーム部
５９  接触部挿入空間
６０  コネクタ挿入空間
６１  大側壁
６２  小側壁
６３  ベースロック部（ロック部）
６４  電線貫通溝
６５  上終端キャップ取付溝
６６  上取付ツメ
６７  下終端キャップ取付溝
６８  下取付窪み
７０  カバー分割体本体（第２ハウジング分割体本体）
７０Ａ  端部
７０Ｂ  端部
７１  上弾性ロックユニット
７２  下固定ロックツメ（第１のツメ部）
７３  弾性梁
７４  弾性ロックツメ（第２のツメ部）
７５  電線貫通空間
７６  上開口
７７  下開口
７８  終端キャップ（閉塞具）
８０  バッテリーコンタクト
８１  バッテリーハウジング
８２  接触バネ片
８３  保持部
８４  ハウジング本体
８４Ａ  開口
８５  開口制限部
８５Ａ  バネ片対向部
８６  バッテリー側ロック部
８７  上ロック位置（第２の取付位置）
８８  下ロック位置（第１の取付位置）
８９  電線貫通筒体
９０  圧着部
９１  規制部
C  中心軸
M  金属板
R  コンタクトロックバネ片
２００  ベースコンタクト（コンタクト）
２０１  ベースハウジング（ハウジング）
２０２  メイン分割体
２０３  カバー分割体
２０４  圧着部
２０４Ａ  カシメ片
２０５  延長部
２０５Ａ  端部
２０６  接触部
２０７  接触バネ片
２０８  保持部
２０９  天板（第１の板部）
２１０  底板（第１の板部）
２１１  電線収容部
２１２  コンタクト収容部
２１３  ベースロック部
２１４  電線貫通溝
２１５  電線貫通空間
２１６  側板（第２の板部）
３００  バッテリーコンタクト
３０１  バッテリーハウジング
３０２  コンタクトロック
３０３  ボルト締結部
３０４  接触部
３０５  ロック窪み
３０６  内側カバー
３０７  外側カバー
３０８  バッテリーロック部
３０９  ボルト締結部
D1  距離
D2  距離
【図１】
2015222716.tif 000003
【図２】
2015222716.tif 000004
【図３】
2015222716.tif 000005
【図４】
2015222716.tif 000006
【図５】
2015222716.tif 000007
【図６】
2015222716.tif 000008
【図７】
2015222716.tif 000009
【図８】
2015222716.tif 000010
【図９】
2015222716.tif 000011
【図１０】
2015222716.tif 000012
【図１１】
2015222716.tif 000013
【図１２】
2015222716.tif 000014
【図１３】
2015222716.tif 000015
【図１４】
2015222716.tif 000016
【図１５】
2015222716.tif 000017
【図１６】
2015222716.tif 000018
【図１７】
2015222716.tif 000019
【図１８】
2015222716.tif 000020
【図１９】
2015222716.tif 000021
【図２０】
2015222716.tif 000022
【図２１】
2015222716.tif 000023
【図２２】
2015222716.tif 000024
【図２３】
2015222716.tif 000025
【図２４】
2015222716.tif 000026
【図２５】
2015222716.tif 000027
【図２６】
2015222716.tif 000028
【図２７】
2015222716.tif 000029
【図２８】
2015222716.tif 000030
【図２９】
2015222716.tif 000031
【図３０】
2015222716.tif 000032
【図３１】
2015222716.tif 000033
【図３２】
2015222716.tif 000034
【図３３】
2015222716.tif 000035
【図３４】
2015222716.tif 000036
【図３５】
2015222716.tif 000037
【図３６】
2015222716.tif 000038
【図３７】
2015222716.tif 000039
【図３８】
2015222716.tif 000040
【図３９】
2015222716.tif 000041
【手続補正書】
【提出日】平成27年9月25日(2015.9.25)
【手続補正１】
【補正対象書類名】特許請求の範囲
【補正対象項目名】全文
【補正方法】変更
【補正の内容】
【特許請求の範囲】
【請求項１】
電線の長手方向における中途部に対して接続対象物を電気的に接続するために前記中途部に取り付けられ、前記接続対象物に取り付けられた接続対象物側コネクタと嵌合可能な電気コネクタであって、
前記電線に対して圧着される圧着部と、前記接続対象物側コネクタに対して電気的に接触する接触部と、を有するコンタクトと、
前記コンタクトを収容するハウジングと、
を備え、
前記ハウジングは、前記電線が前記ハウジングを貫通するための電線貫通空間を有し、
前記コンタクトは、前記圧着部から前記電線の長手方向に延びる延長部を有し、
前記接触部は、前記延長部から突出して形成されており、
前記延長部及び前記接触部は平板状であり、
前記延長部の板厚方向と前記接触部の板厚方向は、実質的に平行である、
電気コネクタ。
【請求項２】
電線の長手方向における中途部に対して接続対象物を電気的に接続するために前記中途部に取り付けられ、前記接続対象物に取り付けられた接続対象物側コネクタと嵌合可能な電気コネクタであって、
前記電線に対して圧着される圧着部と、前記接続対象物側コネクタに対して電気的に接触する接触部と、を有するコンタクトと、
前記コンタクトを収容するハウジングと、
を備え、
前記ハウジングは、前記電線が前記ハウジングを貫通するための電線貫通空間を有し、
前記コンタクトは、前記圧着部から前記電線の長手方向に延びる延長部を有し、
前記接触部は、前記延長部から突出して形成されており、
前記コンタクトは、前記延長部から、前記延長部の板厚方向に突出して、前記電線と対向可能な規制部を有し、
前記電線は、前記接触部と前記規制部の間に位置する、
電気コネクタ。
【請求項３】
電線の長手方向における中途部に対して接続対象物を電気的に接続するために前記中途部に取り付けられ、前記接続対象物に取り付けられた接続対象物側コネクタと嵌合可能な電気コネクタであって、
前記電線に対して圧着される圧着部と、前記接続対象物側コネクタに対して電気的に接触する接触部と、を有するコンタクトと、
前記コンタクトを収容するハウジングと、
を備え、
前記ハウジングは、前記電線が前記ハウジングを貫通するための電線貫通空間を有し、
前記コンタクトは、前記圧着部から前記電線の長手方向に延びる延長部を有し、
前記接触部は、前記延長部から突出して形成されており、
前記接触部は、接触バネ片と、前記接触バネ片を支持する保持部と、を有し、
前記保持部は、前記延長部の板厚方向と平行な方向に延びている、
電気コネクタ。
【手続補正２】
【補正対象書類名】明細書
【補正対象項目名】０００６
【補正方法】変更
【補正の内容】
【０００６】
電線の長手方向における中途部に対して接続対象物を電気的に接続するために前記中途部に取り付けられ、前記接続対象物に取り付けられた接続対象物側コネクタと嵌合可能な電気コネクタであって、前記電線に対して圧着される圧着部と、前記接続対象物側コネクタに対して電気的に接触する接触部と、を有するコンタクトと、前記コンタクトを収容するハウジングと、を備え、前記ハウジングは、前記電線が前記ハウジングを貫通するための電線貫通空間を有し、前記コンタクトは、前記圧着部から前記電線の長手方向に延びる延長部を有し、前記接触部は、前記延長部から突出して形成されており、前記延長部及び前記接触部は平板状であり、前記延長部の板厚方向と前記接触部の板厚方向は、実質的に平行である、電気コネクタが提供される。
電線の長手方向における中途部に対して接続対象物を電気的に接続するために前記中途部に取り付けられ、前記接続対象物に取り付けられた接続対象物側コネクタと嵌合可能な電気コネクタであって、前記電線に対して圧着される圧着部と、前記接続対象物側コネクタに対して電気的に接触する接触部と、を有するコンタクトと、前記コンタクトを収容するハウジングと、を備え、前記ハウジングは、前記電線が前記ハウジングを貫通するための電線貫通空間を有し、前記コンタクトは、前記圧着部から前記電線の長手方向に延びる延長部を有し、前記接触部は、前記延長部から突出して形成されており、前記コンタクトは、前記延長部から、前記延長部の板厚方向に突出して、前記電線と対向可能な規制部を有し、前記電線は、前記接触部と前記規制部の間に位置する、電気コネクタが提供される。
電線の長手方向における中途部に対して接続対象物を電気的に接続するために前記中途部に取り付けられ、前記接続対象物に取り付けられた接続対象物側コネクタと嵌合可能な電気コネクタであって、前記電線に対して圧着される圧着部と、前記接続対象物側コネクタに対して電気的に接触する接触部と、を有するコンタクトと、前記コンタクトを収容するハウジングと、を備え、前記ハウジングは、前記電線が前記ハウジングを貫通するための電線貫通空間を有し、前記コンタクトは、前記圧着部から前記電線の長手方向に延びる延長部を有し、前記接触部は、前記延長部から突出して形成されており、前記接触部は、接触バネ片と、前記接触バネ片を支持する保持部と、を有し、前記保持部は、前記延長部の板厚方向と平行な方向に延びている、電気コネクタが提供される。